(57)【要約】【課題】本発明の課題は、交互販売機能と割引機能とを連動させて、商品の割引を有効に行える自動販売機を提供することにある。【解決手段】同一商品を収納する複数のコラムに対応した商品選択ボタンを押すことにより、あらかじめ設定されたコラムの搬出順序に従って商品をコラムから搬出する交互販売グループ機能を備えた自動販売機において、割引金額と割引対象コラムを設定する設定手段と、同一の交互販売グループに設定されているコラムで、かつ全てのコラムが割引対象コラムである場合に割引金額が同一か否かを判定する判定手段と、割引金額が同一ではない場合には、予め設定された所定コラムの割引金額に設定して割引販売を行う制御手段とを備えたことを特徴とする。【選択図】図１
2012053768.tif 000002
【特許請求の範囲】
【請求項１】
同一商品を収納する複数のコラムに対応した商品選択ボタンを押すことにより、あらかじめ設定されたコラムの搬出順序に従って商品をコラムから搬出する交互販売グループ機能を備えた自動販売機において、割引金額と割引対象コラムを設定する設定手段と、同一の交互販売グループに設定されているコラムで、かつ全てのコラムが割引対象コラムである場合に割引金額が同一か否かを判定する判定手段と、割引金額が同一ではない場合には、予め設定された所定コラムの割引金額に設定して割引販売を行う制御手段とを備えたことを特徴とする自動販売機。
【請求項２】
同一商品を収納する複数のコラムに対応した商品選択ボタンを押すことにより、あらかじめ設定されたコラムの搬出順序に従って商品をコラムから搬出する交互販売グループ機能を備えた自動販売機において、割引金額と割引対象コラムを設定する設定手段を備え、同一の交互販売グループに設定されているコラムの中で、割引対象になっていないコラムがある場合には、全てのコラムを割引非対象とすることを特徴とする自動販売機。
【発明の詳細な説明】
【技術分野】
【０００１】
本発明は、特定の商品について一定の期間あるいはまとめ買いにより、所定額だけ通常価格より割引して商品を販売できるようにした自動販売機に関する。
【背景技術】
【０００２】
従来、自動販売機における販売商品を、通常の商品価格から通常の商品価格より安い商品価格に変更して割引販売を行う機能として以下の割引方式が知られている。
【０００３】
まず、第１の割引方式としては、商品の販売価格とまとめ買いする数を積算した総販売価格から所定の額だけ販売価格を割引いて販売する自動販売機が知られている（特許文献１）。
【０００４】
次に、第２の割引方式としては、割引期間と割引額をテンキーにより設定するようにして、設定された期間に販売される商品は表示額よりも割引額分を安くして販売する自動販売機が知られている（特許文献２）。
【先行技術文献】
【特許文献】
【０００５】
【特許文献１】特開平６−１２５５２号公報
【特許文献２】特開平５−２０５３１号公報
【発明の概要】
【発明が解決しようとする課題】
【０００６】
ところで、前記割引機能を複数のコラムを交互に販売する交互販売機能と兼用して用いる場合、コラムによって異なる割引金額が設定されていると、誤設定と判断し、割引が設定されていても割引禁止となり、割引など売上向上に繋がる機能が有効に活かされていないのが現状であった。
【０００７】
そこで、本発明は、交互販売機能と割引機能とを連動させて、商品の割引を有効に行え、売上向上を可能とする自動販売機を提供することを目的とする。
【課題を解決するための手段】
【０００８】
前述の課題を解決するために、本発明の自動販売機によれば、以下の手段により達成されるものである。
【０００９】
本発明は、同一商品を収納する複数のコラムに対応した商品選択ボタンを押すことにより、あらかじめ設定されたコラムの搬出順序に従って商品をコラムから搬出する交互販売グループ機能を備えた自動販売機において、割引金額と割引対象コラムを設定する設定手段と、同一の交互販売グループに設定されているコラムで、かつ全てのコラムが割引対象コラムである場合に割引金額が同一か否かを判定する判定手段と、割引金額が同一ではない場合には、予め設定された所定コラムの割引金額に設定して割引販売を行う制御手段とを備えたことを特徴とする。
【００１０】
また、本発明は、同一商品を収納する複数のコラムに対応した商品選択ボタンを押すことにより、あらかじめ設定されたコラムの搬出順序に従って商品をコラムから搬出する交互販売グループ機能を備えた自動販売機において、割引金額と割引対象コラムを設定する設定手段を備え、同一の交互販売グループに設定されているコラムの中で、割引対象になっていないコラムがある場合には、全てのコラムを割引非対象とすることを特徴とする。
【発明の効果】
【００１１】
本発明は、割引金額と割引対象コラムを設定するとともに、交互販売グループの設定が行われ、同じ交互販売グループ内にて割引金額が異なる場合には、予め設定されている所定コラムの割引金額を適用することにより、割引金額が異なっていても、割引販売を有効とすることで、売上向上に繋がる。
【００１２】
また、交互販売グループ内に割引金額が設定されていないコラムが存在するときには、交互販売グループ全体を割引非対象とすることにより、誤設定によりそのまま割引販売が行われないようにすることができ、利用者に誤解を与えないようにできる。
【００１３】
さらに、交互販売グループ設定が解除された場合には、コラムが割引対象コラムであれば、そのコラムに設定されている割引金額に基づいて割引販売価格の表示を行い、割引販売が行われるため、設定をし直す必要が無いため、操作性が向上する。
【図面の簡単な説明】
【００１４】
【図１】本発明の一実施の形態である自動販売機の制御装置を示す概略構成ブロック図である。
【図２】本発明の対象となる自動販売機の概略正面図である。
【図３】本発明の商品見本展示室の要部正面図である。
【図４】本発明の一実施の形態を示す設定例を示す図である。
【図５】本発明の一実施の形態を示す他の設定例を示す図である。
【図６】本発明の一実施の形態を示すフローチャートである。
【発明を実施するための形態】
【００１５】
以下に、本発明の実施の形態を示す図面に基づいて説明する。
【００１６】
図２は、本発明の実施の対象となる自動販売機の概略正面図の一例を示すものであり、自動販売機２０は、その本体キャビネット前面に外扉２１を備えており、本体キャビネット内には複数（ｎ個）のコラムを備えている。このコラムは、複数種類の商品を個別に収納する一方、コラムと商品選択ボタン２８との対応関係を予め設定しておくことで、商品選択ボタン２８が押され、販売指令が与えられた場合に押された商品選択ボタン２８に対応する商品の搬出を行うものである。
【００１７】
その外扉２１の前面側に外部から視認可能な商品見本２２ａを内部に配列した商品見本展示室２２、硬貨投入口２３、硬貨返却口２３ａ、紙幣挿入口２４、返却レバー２５、商品取出口２６、販売中表示、紙幣受入中止表示、釣切表示、入金額などを表示するデジタル表示器２７、販売可能ランプ，売切ランプを内蔵する商品選択ボタン２８、販売価格などの商品に関する情報を表示するＬＥＤあるいは液晶表示などからなるデジタル式の価格表示器２８ａ、シリンダー錠付きのハンドル２１ａが設けられている。
【００１８】
前記商品見本２２ａは、それぞれコラムに収納した商品を現し、商品選択ボタン２８に対応して設けられ、販売価格などの商品に関する情報を表示する価格表示器２８ａは、商品選択ボタン２８の上方で商品見本２２ａの下方に位置するように設けられており、さらに、図３の商品見本展示室２２の要部正面図に示すように、その上方に商品見本２２ａの冷蔵・温蔵状態を表示する冷温表示板２２ｂが設けられている。
【００１９】
次に、図１は、本発明の一実施の形態を示す構成ブロック図である。
【００２０】
１は自動販売機全体を制御する主制御部であり、主制御部１には、制御プログラムを格納するメモリ１ａ、商品の販売価格、コラムと商品選択ボタンとの対応関係、その他、設定データ、売上データなど種々のデータを記憶するメモリ１ｂ、時計１ｃを備えている。
【００２１】
この主制御部１には、各種設定・確認を行うためのリモコン１１、商品搬出を行う商品搬出装置１２、庫内の商品を冷却あるいは加熱する冷熱装置１３の制御を行う本体制御部１４、硬貨投入口２３から投入された硬貨の真偽、種類などを選別し、計数および釣銭を払い出す硬貨処理装置１５、紙幣挿入口２４から挿入された紙幣の真偽、種類などを識別する紙幣識別装置１６、デジタル表示器２７、商品選択ボタン２８、該商品選択ボタン２８毎に設けられ、販売価格などの商品に関する情報を表示する価格表示器２８ａが接続されている。
【００２２】
リモコン１１は、モードキー、アップダウンキー、書込キー、クリアキー、終了キーなどを備え、このキー操作と商品選択ボタン２８の操作にて、交互販売グループ設定、割引期間（時間）、割引対象個数、割引コラムなどの割引販売に関する設定を行い、メモリ１ｂに記憶させるものである。
【００２３】
このメモリ１ｂには、予め割引金額パターンとして「パターン１：１０円、パターン２：２０円、パターン３：３０円」と記憶させてあり、割引金額設定時には、このパターンを選択して割引金額を設定する。
【００２４】
この構成において、販売価格設定後、割引金額の設定、交互販売グループ設定を行う例について説明する。
【００２５】
なお、予めコラム番号と商品選択ボタンとは予め１対１にて対応しているものとする。
【００２６】
まず、商品の販売価格設定について説明すると、リモコン１１のモードキーにより現金による商品販売価格設定モードとし、アップダウンキーを操作して商品販売価格を入力すると、デジタル表示器２７に入力した販売価格が表示され、商品選択ボタン２８を押すことで、対応コラムに収納する商品の現金による通常販売価格がメモリ１ｂに記憶され、全ての商品に対して同様の操作を繰り返し行い、全ての商品販売価格設定を終わると、最後に終了キーを押してモードを終了する。
【００２７】
なお、リモコン１１に液晶表示器を備えている場合には、リモコン１１の表示器にも同様の表示を行い、今回の自動販売機のように、商品選択ボタン２８毎に価格表示器２８ａを備えている場合には、この価格表示器２８ａに価格設定時の価格を表示させるようにしてもよい。
【００２８】
次に、割引設定について説明すると、割引金額およびその対象コラムの設定については、リモコン１１のモードキーを操作して割引金額およびその対象コラム設定モードとし、次にアップダウンキーを操作して割引金額パターン１〜３から割引金額を選択し、例えば、割引パターン３を選択すると、デジタル表示器２７に「３０円」と表示され、この割引金額で良ければ、書込キーを押して割引金額データを設定し、次に、この割引金額をどのコラムに設定するかを、商品選択ボタン２８を押すことで、割引金額と対象コラムとの設定が完了し、最後に終了キーを押してモードを終了する。
【００２９】
この実施例の場合、図４に示すように、コラム１−３の通常販売価格を「１５０円」とし、コラム１：割引金額「３０円」、コラム２：割引金額「１０円」、コラム３：割引金額「２０円」と設定するものである。
【００３０】
次に、交互販売グループ設定について説明すると、リモコン１１のモードキーを操作して交互販売コラムの設定モードとし、交互販売グループ１をデジタル表示器２７に表示させ、販売可能ランプの消灯している商品選択ボタン２８を押すと、販売可能ランプが点灯し、対応するコラムが現在表示されているグループに設定され、複数グループ設定する場合には、アップダウンキーを操作して、次グループとし、商品選択ボタン２８を押して、設定を行うものであり、最後に終了キーを押してモードを終了する。
【００３１】
この実施例の場合、コラム番号１−３を交互販売グループとし、図４（ａ）の設定例を示す図から明らかなように、コラム１−３が交互販売グループに設定されると、交互販売グループ内での割引金額が異なっているため、所定コラムとして、１番若いコラム番号の割引金額「３０円」が設定され、コラム１−３に対応する価格表示器２８ａに割引販売金額「１２０円」と表示させる。
【００３２】
一方、交互販売グループ設定が解除された場合には、図４（ｂ）に示すように、各コラムに設定されている割引金額に基づき、コラム１−３に対応する価格表示器２８ａにそれぞれの割引販売価格であるコラム１「１２０円」、コラム２「１４０円」、コラム３「１３０円」を表示させる。
【００３３】
このように、本実施例においては、一番若いコラム番号の割引金額を適用したが、割引金額にて、割引金額の高い金額あるいは低い金額に合わせるなど、設定に応じて変更できるようにしてもよい。
【００３４】
次に、交互販売グループのコラム２の割引金額が設定されていない「０円」の場合には、図５（ａ）の他の設定例を示す図から明らかなように、交互販売グループ内全てのコラムを割引対象外とし、通常販売価格で販売するため、コラム１−３に対応する価格表示器２８ａに通常販売価格「１５０円」と表示させる。
【００３５】
一方、交互販売グループ設定が解除された場合には、図５（ｂ）に示すように、各コラムに設定されている割引金額に基づき、コラム１−３に対応する価格表示器２８ａにそれぞれの割引販売価格であるコラム１「１４０円」、コラム２「１５０円」、コラム３「１２０円」を表示させる。
【００３６】
この割引条件は、期間（日時）あるいはまとめ買い個数を条件に行われるものである。
【００３７】
なお、コラムと商品選択ボタンと１対１について説明したが、１つの商品選択ボタン２８に複数コラムが設定され、商品選択ボタン２８が押される毎に商品を搬出するコラムを順次切り替えて搬出するようにした自動販売機においても、上記実施例同様にコラム毎に割引金額が設定されているため、複数コラムの全てに割引金額が設定されている場合には、予め設定された所定コラムの割引金額を用い、また、いずれか一つのコラムでも割引金額が設定されていない場合には、全てのコラムを割引非対象とする。
【００３８】
次に、上記割引運用方式における自動販売機の利用方法について説明する。
【００３９】
図６のフローチャートに示すように、現在時刻と比較して、割引開始時刻かを判断し（ステップＳ１）、割引開始時刻となれば（ステップＳ１，Ｙｅｓ）、図３の価格表示器２８ａの構成図に示すように、交互販売グループに設定されているコラムの通常販売価格「１５０」を、図３（ｂ）に示すように割引販売価格「１２０円」に変更して（ステップＳ２）、販売待機状態となる。
【００４０】
この状態で、硬貨投入口２３に「１２０円」の硬貨が投入されると（ステップＳ３，Ｙｅｓ）、上記「１２０円」に価格変更された商品を含め、「１２０円」にて販売可能な商品選択ボタン２８の販売可能ランプを点灯させ（ステップＳ４）、ここで、価格変更された商品に対応する商品選択ボタン２８が押されると（ステップＳ５）、本体制御部１４を介して、商品搬出装置１２を駆動し、所望の商品が商品取出口２６に搬出され（ステップＳ６）、割引販売が行われることで、販売待機状態になる（ステップＳ３）。
【００４１】
次に、割引終了時刻となれば（ステップＳ７，Ｙｅｓ）、割引販売価格「１２０円」の商品の場合、図３（ａ）の価格表示器２８ａに示すように、その表示を通常販売価格「１５０円」に変更し、商品を通常販売価格に変更する（ステップＳ８）。
【００４２】
なお、タイムサービス割引については、割引開始時刻前に入金があり、その後、商品選択前に割引開始時刻となった場合には、当該入金による販売は通常価格による販売とし、この販売終了後、タイムサービスによる割引販売を開始し、割引終了時刻前に入金があった場合には、返却レバー２５による返金操作がされずに、商品選択ボタン２８による商品選択が行われれば、割引価格による販売とし、この販売終了後、タイムサービスによる割引販売を終了する。
【００４３】
また、タイムサービス割引しか備えていない場合、主制御部１の時計１ｃが異常と判断されると、割引販売を中止するが、まとめ買い割引機能を備えている場合には、まとめ買い割引機能のみを有効として割引販売を継続することも可能である。
【００４４】
このまとめ買い割引については、途中に割引対象コラム以外の商品を購入した場合には販売数のカウントがされず、割引対象コラムの商品が所定本数販売された時点で割引販売に切り替わるが、この場合には、つづけ買い設定をまとめ買いによる割引対象個数より大きい数とする必要がある。
【００４５】
このタイムサービス割引、まとめ買い割引、割引コラムのアピールは、種々考えられるが、販売待機中に価格表示器２８ａにて割引金額を表示するときには点滅表示するようにして目立つように表示してもよい。また、交互販売グループ毎にその点滅周期などの表示形態を変更してもよい。さらに、ステッカー、シールなどでの表示、あるいは新たな表示器を設け、割引中であることを表示するようにしてもよい。
【００４６】
割引金額は、予め設定されている３パターンとしたが、パターンを増やしてもよく、また、リモコン１１の操作にて割引金額を入力してもよく、仮に、割引金額を通常販売価格より大きい金額として誤設定した場合には、異常と判断して割引設定を無視し、通常販売価格にて商品を販売するようにする。
【００４７】
なお、この販売金額を表示する価格表示器２８ａについては、例えば、適温でない場合には価格を表示させずに別の表示を行わせ、また、省エネ中あるいは災害時に補助電源で自動販売機を駆動させる場合には消灯させるようにしてもよい。
【符号の説明】
【００４８】
１          主制御部
１ａ        メモリ
１ｂ        メモリ
１１        リモコン
２０        自動販売機
２７        デジタル表示器
２８        商品選択ボタン
２８ａ      価格表示器
【図１】
2012053768.tif 000003
【図２】
2012053768.tif 000004
【図３】
2012053768.tif 000005
【図４】
2012053768.tif 000006
【図５】
2012053768.tif 000007
【図６】
2012053768.tif 000008